(57)【特許請求の範囲】
【請求項１】
浴室内の空気を排気ダクトを介して屋外に排気する浴室換気用送風機と、前記浴室内の空気を循環させる循環用送風機と、前記循環空気を加熱する加熱手段と、これら各機器を選択的に駆動して換気、乾燥等の運転を行う各種空調モードと、該各種空調モードの換気モードとは別個に断続的又は連続的に換気運転を行う常時換気モードと、前記各種空調モード及び前記常時換気モードによる運転を制御する制御部とを備え、前記制御部は、前記常時換気モード時に、前記各種空調モードになるときは、前記常時換気モードを中断し、前記各種空調モードが終了した後に、前記常時換気モードによる換気風量を中断直前の換気風量よりも増加させた再開換気風量で前記常時換気モードを開始すべく制御してなることを特徴とする浴室乾燥装置。
【請求項２】
前記制御部は、前記常時換気モードの中断時における換気風量の積算値を算出する積算値算出手段を備え、前記常時換気モードの再開時には、前記積算値算出手段により算出された積算換気量と再開後の風量増加分の積算換気量とが略等しくなるように前記再開換気風量で運転すべく制御してなることを特徴とする請求項１記載の浴室乾燥装置。
【請求項３】
前記再開換気風量は、上限が定められた所定の換気風量であることを特徴とする請求項２記載の浴室乾燥装置。
【請求項４】
前記再開換気風量は、徐々に減少させて所定時間経過後に、前記常時換気モードの中断前の換気風量に戻してなることを特徴とする請求項２記載の浴室乾燥装置。
【発明の詳細な説明】
【０００１】
【発明の属する技術分野】
本発明は、主に浴室の換気、暖房、乾燥等を行う浴室乾燥装置に関する。
【０００２】
【従来の技術】
従来、この種の浴室空調装置として、例えば、特開平１１−１４１１０号公報に開示されたものが知られている。
【０００３】
このものは、浴室内の空気を排気ダクトを通じて屋外に排出する換気用ファンと、浴室内の空気を循環させる循環用ファンと、この循環空気を加熱するヒータとを備えて、各機器を選択的に駆動して換気、乾燥等の各種空調モードでの運転を行うとともに、各種空調モードの換気モードとは別個に、断続的または連続的に換気運転を行う第２換気モードを備えて、第２換気モード時に各種空調モードになるときは、第２換気モードを中断し、各種空調モードが終了した後に、再度第２換気モードを開始するようにしている。
【０００４】
【発明が解決しようとする課題】
しかしながら、上記従来の構成では、各種空調モードによる運転を行っているときは第２換気モードによる運転を停止するために、浴室や他室の居住空間の空気が滞留し、第２換気モードによる運転を再開しても滞留した空気を換気するにはかなりの時間を要するという問題があった。
【０００５】
本発明は、上記課題を解決するためになされたもので、本発明の目的は、滞留した空気を速やかに換気することができる浴室乾燥装置を提供することにある。
【０００６】
【課題を解決するための手段及びその作用・効果】
浴室内の空気を排気ダクトを介して屋外に排気する浴室換気用送風機と、前記浴室内の空気を循環させる循環用送風機と、前記循環空気を加熱する加熱手段と、これら各機器を選択的に駆動して換気、乾燥等の運転を行う各種空調モードと、該各種空調モードの換気モードとは別個に断続的又は連続的に換気運転を行う常時換気モードと、前記各種空調モード及び前記常時換気モードによる運転を制御する制御部とを備え、前記制御部は、前記常時換気モード時に、前記各種空調モードになるときは、前記常時換気モードを中断し、前記各種空調モードが終了した後に、前記常時換気モードによる換気風量を中断直前の換気風量よりも増加させた再開換気風量で前記常時換気モードを開始すべく制御してなることを特徴としている。
【０００７】
従って、この構成によれば、常時換気モードを再開するときは、換気風量を中断直前の換気風量よりも増加させるので、浴室、洗面所、トイレ等の居住空間に滞留した空気を速やかに換気することができ、使用者にとって快適な空間を速やかに得ることができる。
【０００８】
また、前記制御部は、前記常時換気モードの中断時における換気量の積算値を算出する積算値算出手段を備え、前記常時換気モードの再開時には、前記積算値算出手段により算出された積算換気量と再開後の風量増加分の積算換気量とが略等しくなるように前記再開換気風量で運転すべく制御すれば、増加すべき換気風量を自動的に算出して換気するので、使用者にとって最適な空間を速やかに得ることができる。
【０００９】
更に、前記再開換気風量は、上限が定められた所定の換気風量であるので、所定の換気風量を適切な値に設定することで、一時的な換気風量増加による駆動音等の騒音や風量の変化を使用者に気付かれずにすみ、快適な使用感を得ることができる。
【００１０】
また、前記再開換気風量は、徐々に減少させて所定時間経過後に、前記常時換気モードの中断前の換気風量に戻すようにすれば、中断直前の常時換気モードの換気風量に戻るときに、換気時の音の変化や、風量の変化が急ではないので、快適な使用感を得ることができる。
【００１１】
【発明の実施の形態】
以下に、本発明の実施の形態を添付図面により詳細に説明する。
【００１２】
図１は、本発明の一実施形態に係る換気装置の設置例を示す平面図であり、図２は、本発明の換気装置の一実施形態を示す断面図である。
【００１３】
図１に示すように、浴室乾燥装置は、浴室Ａの天井１０裏に設置されており、装置本体１の側面に設けた第１吸気口８が、トイレＣの天井にトイレＣ内を臨むように開口して設けられたトイレ用吸込口１７と吸気ダクト２４を介して接続されている。同様に、本体１の側面に設けた第３吸気口２３が、洗面所Ｂの天井に洗面所Ｂ内を臨むように開口して設けられた洗面所用吸込口１５と吸気ダクト２５を介して接続されている。
【００１４】
また、本体１の他側面に設けた第１排気口３１が、屋外に連通する排気ダクト４０に接続されおり、更に、洗面所Ｂ内及びトイレＣ外の適所には、浴室Ａ、洗面所Ｂ、トイレＣの換気運転のオン・オフ等を制御する遠隔操作部（以下リモコンという）４１、４３が備えられ、信号線４５、４７により本体１の後述する制御部７０に接続されている。
【００１５】
図２に示すように、本体１は天井１０の開口２０を介して設けられており、その下部には浴室Ａ内に臨んで化粧パネル１１が設けられている。また、本体１内部には、その上部に、第１吸気口８から第１排気口３１に至る第１の排気風路１８が形成されており、第１送風ファン１２と第１モータ２とからなるトイレ換気用送風機３が備えられている。また、第１の排気風路１８の第１排気口３１近傍には、第１の排気風路１８を開閉する開閉手段であるシャッター６０が設けられている。
【００１６】
更に、本体１内部には、その下部に、第３吸気口２３及び化粧パネル１１に開口した第２吸気口９から第１排気口３１に至る第２の排気風路１９が形成されており、第２の排気風路１９には、第２送風ファン１３と第２モータ４とからなる浴室換気用送風機５が備えられている。
【００１７】
また、第２の排気風路１９とは別に、化粧パネル１１に開口した第４吸気口２１から化粧パネル１１に開口した吹出し口５１に至る循環風路２２を形成しており、循環風路２２には、第３送風ファン１４と第３モータ６とからなる循環用送風機７及び吹出し口５１近傍に加熱手段であるヒーター５０を配設している。
【００１８】
尚、図３に示すように、第１排気口３１とは別の本体１側面に、第２排気口３２を設けて、第１、第２排気口３１、３２のいずれかを選択して排気ダクト４０と接続するようにしてもよく（使用しない排気口は塞ぎ部材等により蓋をする）、このように構成すれば、設置現場のレイアウトに応じた配管工事が可能になり、配管施工を簡単に行うことができる。また、第１吸気口８の他に、本体１側面に第１の排気風路１８に連通する第７吸気口２８を設けたり、第３吸気口２３の他に、本体１側面に第２の排気風路１９に連通する第５吸気口２６、第６吸気口２７を設けて、設置現場のレイアウトに応じて、例えば、第７吸気口２８には吸気ダクト２４を、第５吸気口２６には吸気ダクト２５を接続するようにしてもよく（使用しない吸気口は塞ぎ部材等により蓋をする）、このようにすれば、配管施工を簡単に行うことができる。または、第１吸気口８に吸気ダクト２４を接続するとともに第７吸気口２８にトイレＣ以外の部屋に連通した吸気ダクトに接続したり、第３吸気口２３に吸気ダクト２５を接続するとともに第５吸気口２６、第６吸気口２７に洗面所Ｂ以外の部屋に連通した吸気ダクトに接続して、居室全体を換気するようにしてもよい。
【００１９】
図４は、洗面所Ｂ内の適所に設けられたリモコン４１を示す正面図、図５は、駆動回路を示すブロック図である。
【００２０】
図４に示すように、リモコン４１は、停止スイッチ３３、換気運転スイッチ３４、暖房運転スイッチ３５、乾燥運転スイッチ３６、涼風運転スイッチ３７、タイマ設定スイッチ３８、常時換気運転スイッチ３９を有している。タイマ設定スイッチ３８は運転時間（ｈ）や運転開始時間（ｈ）を設定するもので、「０．５」「１」「２」…「９」と順次設定できるようになっている。また、常時換気運転スイッチ３９は他室換気用送風機３及び浴室換気用送風機５の駆動を操作するものである。
【００２１】
また、図５に示すように、リモコン４１の各スイッチ３３、３４、３５、３６、３７、３８、３９から入力される信号に基づいて、制御部７０のＣＰＵ７１は浴室換気用送風機駆動回路７２、循環用送風機駆動回路７３、ヒーター駆動回路７４、トイレ換気用送風機駆動回路７５を通じて、浴室換気用送風機５、循環用送風機７、ヒーター５０、トイレ換気用送風機３に出力される。更に、換気風量の積算値を算出する積算値算出手段７６を備えて、この積算値算出手段７６に基づいて浴室換気用送風機５、トイレ換気用送風機３に出力されるように構成されている。
【００２２】
以上の構成において、浴室乾燥装置の動作を以下に詳述する。
【００２３】
リモコン４１の常時換気運転スイッチ３９をオン操作すると、トイレ換気用送風機３と浴室換気用送風機５が駆動してその第１、第２送風ファン１２、１３により、トイレＣ内の空気がトイレ用吸込口１７から吸気ダクト２４を介して第１吸気口８より吸い込まれ、第１の排気風路１８を通って第１排気口３１から排気ダクト４０を介して屋外に排気されるとともに、浴室Ａ及び洗面所Ｂ内の空気が、化粧パネル１１に開口した第２吸気口９及び洗面所用吸込口１５から吸気ダクト２５を介して第３吸気口２３より吸い込まれ、第２の排気風路１９を通って第１排気口３１から排気ダクト４０を介して屋外に排気されて、トイレＣ、浴室Ａ、洗面所Ｂが連続的に換気される（常時換気モード）。
【００２４】
尚、常時換気モードによる連続的換気運転に限らず、断続的に換気を行うようにしてもよい。即ち、リモコン４１のタイマ設定スイッチ３８により、例えば、表示部３８ｄに「２：０」を設定すると、オン時間２０分・オフ時間２０分を１サイクルとして、また、「３：０」を設定すると、オン時間２０分・オフ時間３０分を１サイクルとして断続的に換気運転が行われる。
【００２５】
また、リモコン４１の換気運転スイッチ３４をオン操作すると、浴室換気用送風機５が駆動してその第２送風ファン１３により、浴室Ａ及び洗面所Ｂ内の空気が、化粧パネル１１に開口した第２吸気口９及び洗面所用吸込口１５から吸気ダクト２５を介して第３吸気口２３より吸い込まれ、第２の排気風路１９を通って第１排気口３１から排気ダクト４０を介して屋外に排気される（換気モード）。
【００２６】
尚、第２吸気口９を開閉する開閉手段としてのモータ等により駆動するダンパー等（図示せず）を設け、且つ、リモコン４１に浴室換気スイッチ（図示せず）、洗面所換気スイッチ（図示せず）を設けて、浴室換気スイッチをオン操作すると、ダンパーが開いて、上述したと同様に浴室Ａ及び洗面所Ｂの換気がなされるが、洗面所換気スイッチをオン操作すると、ダンパーが閉じて、洗面所Ｂのみの単独換気を行うことができる。また、第２吸気口９を開閉するダンパーを設けずに、第３吸気口２３を開閉する開閉手段としてのモータ等により駆動するダンパー等（図示せず）を設けるようにしてもよく、このようにすれば、洗面所換気スイッチをオン操作すると、ダンパーが開いて、浴室Ａ及び洗面所Ｂの換気がなされるが、浴室換気スイッチをオン操作すると、ダンパーが閉じて、浴室Ａのみの単独換気を行うことができる。更に、第２吸気口９と第３吸気口２３とにそれぞれダンパー等を設けるようにしてもよく、このようにすれば、洗面所換気スイッチをオン操作すると、第２吸気口９に設けたダンパーが閉じるとともに第３吸気口２３に設けたダンパーが開いて、洗面所Ｂのみの単独換気が行え、浴室換気スイッチをオン操作すると、第３吸気口２３に設けたダンパーが閉じるとともに第２吸気口９に設けたダンパーが開いて、浴室Ａのみの単独換気を行うことができる。更にまた、換気運転スイッチ３４をオン操作すると、第２吸気口９及び第３吸気口２３に設けたダンパーが共に開き、浴室Ａ及び洗面所Ｂの同時換気を行うようにすることもできる。
【００２７】
また、リモコン４１の涼風運転スイッチ３７をオン操作すると、浴室換気用送風機５、循環用送風機７が駆動してその第２、３送風ファン１３、１４により、浴室Ａ内の空気の一部が第２吸気口９から吸い込まれ、第２の排気風路１９を通って第１排気口３１から排気ダクト４０を介して屋外に排気されるとともに、浴室Ａ内の空気の一部が化粧パネル１１に開口した第４吸気口２１から吸い込まれて、化粧パネル１１に開口した吹出し口５１から浴室Ａ内に吹き出される（涼風モード）。この時、ヒーター５０には通電されていないので、涼風が浴室Ａ内に吹き出されることになる。
【００２８】
更に、リモコン４１の暖房運転スイッチ３５をオン操作すると、循環用送風機７が駆動してその第３送風ファン１４により、浴室Ａ内の空気が化粧パネル１１に開口した第４吸気口２１から吸い込まれて、化粧パネル１１に開口した吹出し口５１から浴室Ａ内に吹き出される（暖房モード）。この時、ヒーター５０は通電されているので、ヒーター５０により熱交換された空気が温風となって浴室Ａ内に吹き出され、浴室Ａが暖房されることになる。
【００２９】
また、リモコン４１の乾燥運転スイッチ３６をオン操作すると、浴室換気用送風機５、循環用送風機７が駆動してその第２、３送風ファン１３、１４により、浴室Ａ内の空気の一部が第２吸気口９から吸い込まれ、第２の排気風路１９を通って第１排気口３１から排気ダクト４０を介して屋外に排気されるとともに、浴室Ａ内の空気の一部が第４吸気口２１から吸い込まれて、ヒーター５０により温風となって浴室Ａ内に吹き出され、浴室Ａ内に干された衣類等の乾燥が行われることになる（乾燥モード）。
【００３０】
図６は、常時換気モードと浴室Ａの換気、乾燥、暖房、涼風等の各種空調モードの動作タイミングを示すタイムチャートである。
【００３１】
図６に示すように、常時換気運転スイッチ３９がオン操作されて（ｔ１）常時換気モードによる運転が行われているときに、換気運転スイッチ３４、暖房運転スイッチ３５、乾燥運転スイッチ３６、涼風運転スイッチ３７のいずれかのスイッチがオン操作されるか又はタイマ設定スイッチ３８の操作により換気モード、乾燥モード、暖房モード、涼風モードのいずれかの空調モードによる運転が開始されると、常時換気モードによる運転を中断し（ｔ２）、停止スイッチ３３が操作されるか又は設定されたタイマーが終了して換気モード、乾燥モード、暖房モード、涼風モードのいずれかの空調モードによる運転が停止すると、常時換気モードによる運転を再開（ｔ３）するように制御している。
【００３２】
このとき、常時換気モードの再開時の換気風量は、常時換気モードを中断する前の換気風量（例えば、７０ｍ３／ｈ）に戻らずに、増加させた換気風量（例えば、１００ｍ３／ｈ）で運転するように制御している。このように、換気風量を増加させた換気風量で常時換気モードによる運転を再開することにより、浴室Ａ、洗面所Ｂ、トイレＣの居住空間に滞留した空気を速やかに換気することができ、使用者にとって快適な空間を速やかに得ることができる。
【００３３】
図７は、常時換気モードの換気風量制御の変形例を示すタイムチャートである。
【００３４】
図７に示すように、上述した実施例と同様に、常時換気運転スイッチ３９がオン操作されて（ｔ４）常時換気モードによる運転が行われているときに、各種空調モードによる運転が開始されると、常時換気モードによる運転を中断し（ｔ５）、各種空調モードによる運転が停止すると、常時換気モードを中断する前の換気風量（例えば、７０ｍ３／ｈ）より増加させた換気風量で常時換気モードによる運転を再開（ｔ６）する。
【００３５】
ここで、換気風量の増加分は、積算値算出手段７６により常時換気モードの中断に換気すべき換気量を算出し（例えば、常時換気モードを中断している時間（ｔ６ーｔ５）が２時間とすると、７０ｍ３／ｈ×２ｈ＝１４０ｍ３）、この積算換気量１４０ｍ３を、換気風量２０ｍ３／ｈを上限値として常時換気モードを中断する前の換気風量７０ｍ３／ｈに上乗せした換気風量９０ｍ３／ｈで７時間（ｔ７ーｔ６）運転を行って換気していまい、中断する前の居住空間の適性換気風量としての換気風量７０ｍ３／ｈに戻るように制御する。従って、一時的な換気風量増加による駆動音等の騒音や風量の変化を使用者に気付かれずに、使用者にとって最適な空間を速やかに得ることができる。
【００３６】
図８は、常時換気モードの換気風量制御の別の変形例を示すタイムチャートである。
【００３７】
図８に示すように、上述した実施例と同様に、常時換気運転スイッチ３９がオン操作されて（ｔ８）常時換気モードによる運転が行われているときに、各種空調モードによる運転が開始されると、常時換気モードによる運転を中断し（ｔ９）、各種空調モードによる運転が停止すると、常時換気モードを中断する前の換気風量（例えば、７０ｍ３／ｈ）より増加させた換気風量で常時換気モードによる運転を再開（ｔ１０）する。
【００３８】
ここで、換気風量の増加分は、積算値算出手段７６により常時換気モードの中断に換気すべき換気量を算出し（例えば、常時換気モードを中断している時間（ｔ１０ーｔ９）が３時間とすると、７０ｍ３／ｈ×３ｈ＝２１０ｍ３）、この積算換気量２１０ｍ３を、常時換気モードを中断する前の換気風量７０ｍ３／ｈに換気風量３０ｍ３／ｈを上乗せして換気風量１００ｍ３／ｈで運転を開始し、この上乗せ分の換気風量３０ｍ３／ｈを徐々に減少させて所定時間（ｔ１１ーｔ１０）かけて換気していまい、中断する前の居住空間の適性換気風量としての換気風量７０ｍ３／ｈに戻るように制御する。従って、このように制御すれば、中断前の常時換気モードの換気風量に戻るときに、換気時の音の変化や、風量の変化が急ではないので、快適な使用感を得ることができる。
【００３９】
上述した内容はあくまで本発明の一実施形態に関するものであって、本発明が上記内容のみに限定されることを意味されるものではない。例えば、リモコン４１の常時換気運転スイッチ３９をオン操作すると、トイレ換気用送風機３と浴室換気用送風機５を共に駆動させるようにしたが、これに限らず、浴室換気用送風機５のみを駆動させて、断続的又は連続的に浴室Ａ、洗面所Ｂの換気を行うようにしてもよい。
【図面の簡単な説明】
【図１】本発明の一実施形態に係る浴室乾燥装置の設置例を示す概略構成図である。
【図２】本発明の浴室乾燥装置の一実施形態を示す断面図である。
【図３】本発明の浴室乾燥装置の一実施形態を示す平面図である。
【図４】本発明の浴室乾燥装置のリモコンを示す正面図である。
【図５】本発明の浴室乾燥装置の駆動回路を示すブロック図である。
【図６】常時換気モードと各種空調モードの動作タイミングを示すタイムチャートである。
【図７】常時換気モードの換気風量制御の変形例を示すタイムチャートである。
【図８】常時換気モードの換気風量制御の別の変形例を示すタイムチャートである。
【符号の説明】
Ａ…浴室
Ｂ…洗面所
Ｃ…トイレ
１…本体
３…トイレ換気用送風機
５…浴室換気用送風機
７…循環用送風機
３３…停止スイッチ
３４…換気運転スイッチ
３５…暖房運転スイッチ
３６…乾燥運転スイッチ
３７…涼風運転スイッチ
３８…タイマ設定スイッチ
３９…常時換気運転スイッチ
４０…排気ダクト
４１、４３…リモコン
５０…ヒーター
７０…制御部
７６…積算値算出手段
【図１】
0003567863.tif 000002
【図２】
0003567863.tif 000003
【図３】
0003567863.tif 000004
【図４】
0003567863.tif 000005
【図５】
0003567863.tif 000006
【図６】
0003567863.tif 000007
【図７】
0003567863.tif 000008
【図８】
0003567863.tif 000009